(57)【特許請求の範囲】
【請求項１】
加熱により溶解された口紅を成型容器内に充填し、この口紅が半固化状態になるまで冷却し、半固化状態の口紅を切断した切断面を測色することを特徴とする口紅の測色方法。
【請求項２】
口紅を溶解するための加熱温度を８０〜１００℃の範囲内とし、この口紅を半固化状態にするための温度を４０〜６０℃の範囲内とする請求項１記載の口紅の測色方法。
【請求項３】
請求項１または２に記載の口紅の測色方法に用いる治具であって、加熱により溶解された口紅を充填する成型容器（１）と、この成型容器（１）を支持する成型容器支持部材（２）と、成型容器（１）内に口紅を充填するための充填孔（１２）を備えて上記成型容器支持部材（２）の上に着脱可能に設けられる上置き部材（３）とを備えてなり、上記充填孔（１２）が、上から下に向けて孔径が大きくなるテーパー状に形成されていることを特徴とする治具。
【発明の詳細な説明】
【０００１】
【発明の属する技術分野】
本発明は、口紅の製造工程等において口紅の色を管理をするための口紅の測色方法およびそれに用いる治具に関するものである。
【０００２】
【従来の技術】
従来、口紅の製造工程等において、品質管理の一環として口紅の色を管理するために口紅の測色が行われている。この口紅の測色方法としては、通常、（１）口紅を濾紙や手の甲に塗布したものや、スティック状に成型したものの外観色を目視にて判定する方法や、（２）測色用のサンプルを作成して分光光度計等で測色する方法が採用されている。そして、上記（２）の方法においては、まず長さ１０ｃｍ程度の口紅の棒状サンプルを作成し、それを長手方向に直角に切断し、その切断面を分光光度計等で測色することが行われている。
【０００３】
【発明が解決しようとする課題】
しかしながら、上記（１）の方法では、個人差により目視判定結果にバラツキが生じ、正確な色管理を実現することは不可能であった。また、上記（２）の方法においては、棒状サンプルの切断面における凹凸に起因して測色値にバラツキが生じ、やはり正確な色管理を実現することは困難であった。また、切断面に凹凸が生じないように棒状サンプルを切断することは容易ではなく、熟練した技術が必要とされていた。そこで、このバラツキの問題を解決するために、棒状サンプルの切断と測色とを複数回繰り返し、その平均値をとることも行われているが、それには煩雑な手間と時間を要し、非効率的であるというのが実情であった。また、棒状サンプルを複数回、複数箇所切断して測色に使用してしまうと、サンプルの残存量が少なくなってしまい、測色後のサンプルの保管ができないという問題もあった。
【０００４】
本発明は、このような実情に鑑みなされたものであって、口紅の測色結果を、１回のサンプル作成および測色により正確に得ることができ、そのサンプル作成が容易であって、且つ測色後のサンプルを確実に保存することのできる口紅の測色方法およびそれに用いる治具の提供を目的とするものである。
【０００５】
【課題を解決するための手段】
上記の目的を達成するために、本発明の口紅の測色方法は次のような構成をとる。すなわち、加熱により溶解された口紅を成型容器内に充填し、この口紅が半固化状態になるまで冷却し、半固化状態の口紅を切断した切断面を測色することを特徴とする口紅の測色方法である。
【０００６】
そして、この口紅の測色方法においては、上記口紅を溶解するための加熱温度を８０〜１００℃の範囲内とし、この口紅を半固化状態にするための温度を４０〜６０℃の範囲内とすることが好ましい。
【０００７】
また、上記の目的を達成する本発明の口紅の測色方法に用いる治具は、加熱により溶解された口紅を充填する成型容器と、この成型容器を支持する成型容器支持部材と、成型容器内に口紅を充填するための充填孔を備えて上記成型容器支持部材の上に着脱可能に設けられる上置き部材とを備えてなり、上記充填孔が、上から下に向けて孔径が大きくなるテーパー状に形成されていることを特徴とするものである。
【０００８】
そして、上記上置き部材の充填孔を、上から下にかけて孔径が大きくなるテーパ状に形成することにより、測色用のサンプル作成がより一層容易になり、且つサンプルの切断面がさらに平滑になってバラツキのない測色結果が得られるようになる。
【０００９】
【発明の実施の形態】
以下、本発明の実施の形態について説明する。
【００１０】
本発明の口紅の測色方法においては、まず口紅バルクを加熱して溶解する。この加熱温度は、口紅の種類にもよるが、８０〜１００℃の範囲内とすることが好ましく、通常の口紅においては９０℃に加熱して溶解することが、口紅を変質させることなく、十分に溶解することができることから好適である。
【００１１】
そして、加熱溶解された口紅バルクを成型容器内に充填して冷却する。この冷却は、空冷により徐々に冷却する方式をとることが、加熱された口紅バルクの対流によって生じる口紅バルク中央部の中空溝が生じにくいため好適である。しかして、口紅バルクが半固化状態になるまで放置した後、半固化状態になった口紅バルクを切断面が平滑になるように切断し、その切断面を分光光度計で測色して測色値を得るのである。
【００１２】
このように口紅バルクを半固化状態にするにあたっては、口紅の種類にもよるが、その温度を４０〜６０℃の範囲内に設定することが好ましく、通常の口紅においては５０℃に設定することが特に好適である。すなわち、口紅バルクの温度が４０℃未満では、口紅バルクが固まりすぎてその切断に微妙な力加減が必要とされ、熟練者でないと切断面を平滑にすることが難しく、また逆にこれが６０℃を超えると口紅バルクがゼリー状となって張力が高すぎ、切断の際に切断刃で口紅バルクを抉り取ってしまうおそれがあるからである。
【００１３】
また、ベース成分にワックス（蝋）を含まないゼリー状の口紅のバルクを上記のような半固化状態にするにあたっては、空冷のみでは時間がかかってしまうことから、冷凍による急冷をすることが好ましい。すなわち、このタイプの口紅バルクは、冷凍庫内で急冷することにより、１０分程度で好ましい半固化状態とすることができるのである。
【００１４】
また、雲母顔料を多く含む口紅のバルクを上記のような半固化状態にする際にも、急冷することが好ましい。すなわち、雲母顔料を多く含む口紅を空冷して時間をかけると、他の成分よりも比重の重い雲母顔料がまとまって沈降して切断面には現れなくなってしまい、雲母顔料で調色している口紅の正確な測色値を得ることができなくなってしまうからである。
【００１５】
上記の口紅の測色方法は、図１および図２に示すような治具で測色用サンプルを作成することにより実現することができる。これらの図に示すように、この治具は、口紅バルクを充填して成型するための成型容器（１）（この例では直径１５φ）を直立させた状態で支持する成型容器支持部材（２）と、この成型容器支持部材（２）の上に着脱可能に載置される上置き部材（３）とを備えている。
【００１６】
上記成型容器支持部材（２）は、成型容器（１）を直立させる下部支持部材（４）と、この下部支持部材（４）の上に着脱可能に設けられる上部支持部材（５）とを備えている。上部支持部材（５）は、成型容器（１）の上部を支持する支持板（６）と、この支持板（６）の左右両端から垂設された側板（７）とから構成されている。これら下部支持部材（４）と上部支持部材（５）とは、下部支持部材（４）の上面左右２箇所に突設された係合突起（４ａ）と、この係合突起（４ａ）と嵌合するように上部支持部材（５）の側板（７）の底面に設けられた係合穴（図示せず）とを係合させることにより上下に位置決めされるようになっている。そして、左右両側面に設けられた引っかけ式の係止部材（８）により、互いに着脱可能に係止されるようになっている。
【００１７】
この成型容器支持部材（２）本体はアルミニウム製であり、下部支持部材（４）の上面中央には、厚み約５ｍｍのスポンジ（９）が設けられている。また、上部支持部材（５）の支持板（６）の略中央部には、成型容器（１）の上部を支持するための支持孔（１０）が穿設されている。さらに、この支持板（６）の長手方向に沿った両端縁は、上記上置き部材（３）を載置するために切り落とされた状態となっている。
【００１８】
上記上置き部材（３）は樹脂製であって、上面には、口紅バルクを流し込むための溝（１１）が形成されており、この溝（１１）の略中央部には、上記成型容器（１）の上端開口部（１ａ）につながる充填孔（１２）が穿設されている。この充填孔（１２）は、上から下に向けて孔径が大きくなるテーパー状に形成されている。
【００１９】
上記成型容器（１）は、その上端開口部（１ａ）が成型容器支持部材（２）の上部支持部材（５）の上端面よりも数ｍｍ下がったところに位置するようにセットされるように、成型容器支持部材（２）と成型容器（１）との相互寸法が設定されている。
【００２０】
次に、このように構成された治具を用いて口紅を測色する方法について説明する。まず、成型容器（１）を、成型容器支持部材（２）にセットし、その上に上置き部材（３）を載置する。このとき、成型容器（１）の上端開口部（１ａ）は、成型容器支持部材（２）の上部支持部材（５）の上端面よりも数ｍｍ下がったところに位置するようになっている。そして、成型容器支持部材（２）の下部支持部材（４）に設けられたスポンジ（９）により、成型容器（１）の寸法バラツキに左右されずに常に同じ高さに成型容器（１）をセットすることができるようになっている。また、上部支持部材（５）と下部支持部材（４）とを係止部材（８）により確実に係止することができるようになっているため、作業中に成型容器（１）がぐらついたりすることがない。
【００２１】
しかして、９０℃に加熱して溶解した口紅バルクを上置き部材（３）の溝（１１）の中に略一杯の量充填する。このとき、上置き部材（３）の溝（１１）の周辺をあらかじめ４０〜６０℃に加熱しておくことが好ましい。すなわち、上置き部材（３）の溝（１１）の部分をあらかじめ加熱しておくと、口紅バルクと成型容器（１）との温度差が少なくなって成型容器（１）内の口紅バルクの対流の流速が遅くなり、その結果、口紅バルクが半固化状態になる際に中央がリング状にへこむという問題を確実に解決することができるからである。
【００２２】
しかしながら、上記のように上置き部材（３）の溝（１１）をあらかじめ加熱してから口紅バルクを流し込むことは、温度管理が複雑になるという問題を有している。そこで、この例の治具においては、上置き部材（３）の材質として、熱伝導度の低い材質、すなわち放熱効果の少ない樹脂材料を用いることにより、成型容器（１）において固定されている上部側と外気にさらされている中底部との温度差を少なくすることができ、成型容器（１）内の口紅バルクの対流の流速を遅くすることが可能となっている。
【００２３】
そして、空冷により口紅バルクを４０〜６０℃まで徐冷し、半固化状態になるまで放置する。このとき、口紅バルクがベース成分にワックスを含まないもの、あるいは雲母顔料を多く含むものである場合には、上述したように急冷固化して半固化状態にする。
【００２４】
次いで、上置き部材（３）の溝（１１）の中で固まっている口紅バルクをヘラで掻き取った後、上置き部材（３）を成型容器支持部材（２）の上から取り外す。すると、図３に示すように、半固化状態の口紅バルク（Ｌ）が成型容器支持部材（２）の上部支持部材（５）の上面からテーパー状に盛り上がって現れる。このように口紅バルクがテーパー状の盛り上がるのは、上置き部材（３）の充填孔（１２）が、上から下に向けて孔径を大きくするテーパー状に形成されているためである。
【００２５】
しかる後、上記テーパー状に盛り上がった口紅バルク（Ｌ）を上部支持部材（５）の上面に沿って切断する。このとき、口紅バルク（Ｌ）がテーパー状になっているため、切断時に口紅バルクが自重で押しつぶされたりすることがなく、スムーズに切断して平滑な切断面を得ることができる。また、成型容器（１）の上端開口部（１ａ）が上部支持部材（５）の上面よりも数ｍｍ下がったところに位置決めされているため、成型容器（１）の開口部（１ａ）の端縁の状態にかかわらず、平滑な切断面を得ることができる。すなわち、例えば成型容器（１）の開口部（１ａ）の周縁に面取り不良等による凹凸が存在していたとしても、その影響を受けて切断面にスジが形成されたりすることなく、確実に平滑な切断面を得ることができるのである。
【００２６】
この切断にあたっては、図４に示すような切断用治具（１３）を用いることができる。すなわち、この切断用治具（１３）は、成型容器支持部材（２）の上部支持部材（５）の上面に沿ってスライドさせることにより切断刃（１４）が口紅バルク（Ｌ）を切断するようになっているものである。このように、切断刃（１４）が上部支持部材（５）の上面に沿ってスライドすることにより、切断面にかかる力が均一になり、平滑な切断面を容易に得ることができるのである。この切断刃（１４）としては、図４に示す形態以外にも、図５（Ａ），（Ｂ），（Ｃ）に示す形態や図６に示す形態のものを適宜用いることができる。
【００２７】
そして、成型容器支持部材（２）の係止部材（８）を外して上部支持部材（５）と下部支持部材（４）との係止状態を解除し、成型容器（１）を取り出し、その上端開口部（１ａ）から数ｍｍ突出した状態になっている口紅バルク（Ｌ）の切断面を分光光度計により測色する。
【００２８】
しかして、測色を終えた後は、これを成型容器（１）ごと測色用サンプルとして保管することにより、口紅の色管理を確実に行うことができるのである。
【００２９】
【実施例】
実施例として、本発明に係る口紅の測色方法により、上記の実施形態の治具を用いて同一色の口紅について９種類のサンプルを作成して測色を行った。また、比較例として、治具を用いずに従来の方法で成型して測色面を形成した１１種類の棒状サンプルについて測色を行った。４００〜７００ｎｍの分光反射率からＣＩＥＬ＊  ａ＊  ｂ＊  （Ｃ光源２度視野）計算により、明度Ｌ＊  およびクロマティック指数ａ＊  ｂ＊  のバラツキで測色結果のバラツキを評価した。その結果を表１および表２に示す。
【００３０】
【表１】
0003576398.tif 000002
【００３１】
【表２】
0003576398.tif 000003
【００３２】
上記表１および表２を見れば明らかなように、実施例における明度およびクロマティック指数の最大最小差は、比較例における最大最小差の半分以下となっている。すなわち、実施例による測色結果が比較例に比べてきわめてバラツキが小さいことが確認された。
【００３３】
【発明の効果】
以上述べたように、本発明の口紅の測色方法および治具によれば、口紅の測色結果を、１回のサンプル作成および測色により正確に得ることが可能となる。さらに、本発明の治具を用いることにより、測色用のサンプルを容易に作成することができ、且つ測色後のサンプルを確実に保存することも可能となる。従って、本発明によれば、品質管理としての口紅の色管理を、きわめて確実且つ合理的に行うことが可能となるのである。
【図面の簡単な説明】
【図１】本発明の口紅の測色方法に用いる治具の一実施の形態を示す説明図である。
【図２】図１に示す治具の分解図である。
【図３】図１に示す治具の使用方法の説明図である。
【図４】図１に示す治具と組み合わせて用いる切断用治具の説明図である。
【図５】切断用治具の他の形態を示す説明図である。
【図６】切断用治具の他の形態を示す説明図である。
【符号の説明】
１  成型容器
２  成型容器支持部材
３    上置き部材
１２  充填孔
【図１】
0003576398.tif 000004
【図２】
0003576398.tif 000005
【図３】
0003576398.tif 000006
【図４】
0003576398.tif 000007
【図５】
0003576398.tif 000008
【図６】
0003576398.tif 000009